(57)【要約】【課題】改善されたグレースケール描画により画像を表示するために方法及び装置を提供する。【解決手段】プラズマパネル表示のためのデジタル化された信号の量子化ステップを減少する。そのようなプラズマ表示パネルのセルの光出力の量子化ステップの減少を実現するために、簡潔したフレーム周期又はその一部について活性化される必要がある発光要素をアドレス指定するためのアドレス指定インパルスのエネルギーを用いる。従って、通常の維持インパルスに加えて、量子化ステップを減少させるアドレス指定インパルスにより、発光要素の光出力を制御することが可能である。【選択図】　　　図２
2004070327.tif 000002
【特許請求の範囲】
【請求項１】
複数の発光要素を有する表示装置を駆動するための方法であって：
活性化サイクル又はサブフィールドと呼ばれる１つの完結したフレーム周期或いはその一部において活性化される必要がある発光要素を、発光要素の各々に所定の書き込み電圧を有するアドレス指定インパルスを印加することによりアドレス指定する段階；
から構成され、
前記アドレス指定インパルスのエネルギーに基づいて前記アドレス指定された発光要素の少なくとも１つの光出力を制御する；
ことを特徴とする方法。
【請求項２】
請求項１に記載の方法であって、前記アドレス指定された発光要素の少なくとも１つは前記アドレス指定インパルスのみにより前記１つのフレーム周期において活性化される、ことを特徴とする方法。
【請求項３】
請求項１又は２の何れか一項に記載の方法であって、前記アドレス指定された発光要素の少なくとも１つは前記アドレス指定インパルスと所定の維持電圧を有する少なくとも１つの維持インパルスとにより前記１つのフレーム周期において活性化される、ことを特徴とする方法。
【請求項４】
請求項１乃至３の何れか一項に記載の方法であって、１つのアドレス指定インパルスの活性化エネルギーは１つの維持インパルスの活性化エネルギーより小さい、ことを特徴とする方法。
【請求項５】
請求項１乃至４の何れか一項に記載の方法であって、１つのフレーム周期における前記発光要素の１つの活性化は複数の活性化サイクルにより行われ且つ消去動作は各々の活性化サイクルの終わりに行われる、ことを特徴とする方法。
【請求項６】
請求項５に記載の方法であって、前記アドレス指定動作は各々の活性化サイクルのはじめに行われ且つ維持動作はアドレス指定動作の後に任意に行われる、ことを特徴とする方法。
【請求項７】
請求項１乃至６の何れか一項に記載の方法であって、幾つかの前記アドレス指定された発光要素の光出力を制御するためにアドレス指定インパルスの使用の決定のために画像分析を行う段階から更に構成される、ことを特徴とする方法。
【請求項８】
請求項７に記載の方法であって、前記アドレス指定インパルスは本質的にホワイトの画像が最大輝度を減少する場合に前記アドレス指定インパルスが光出力を制御するために用いられる、ことを特徴とする方法。
【請求項９】
請求項７又は８の何れか一項に記載の方法であって、現在のフレームの輝度が所定の閾値より小さいか又は輝度の統計的分布が主な暗い領域を表す場合に前記アドレス指定インパルスは光出力を制御するために用いられる、ことを特徴とする方法。
【請求項１０】
請求項９に記載の方法であって、前記閾値は最大輝度の１０％より小さい、ことを特徴とする方法。
【請求項１１】
複数の発光要素を有する表示装置を駆動するための装置であって：
活性化サイクルと呼ばれる完結したフレーム周期又はその一部において前記発光要素の少なくとも１つを、各々の前記発光要素に所定の書き込み電圧を有するアドレス指定インパルスを印加することによりアドレス指定するためのアドレス指定手段；及び
所定の維持電圧を有する少なくとも１つの維持インパルスを印加することによりアドレス指定された前記発光要素の各々の光出力を制御するために前記アドレス指定手段に接続された制御手段（１４）；
から構成され、
アドレス指定された少なくとも１つの前記発光要素の光出力は、前記アドレス指定手段からの前記アドレス指定インパルスのエネルギーに更に基づいて前記制御手段（１４）により制御可能である；
ことを特徴とする装置。
【請求項１２】
請求項１１に記載の装置であって、アドレス指定された少なくとも１つの前記発光要素は前記アドレス指定インパルスのみにより前記
１つのフレーム周期において活性化可能である、ことを特徴とする装置。
【請求項１３】
請求項１１又は１２の何れか一項に記載の装置であって、少なくとも１つの前記アドレス指定された発光要素は前記アドレス指定インパルスと少なくとも１つの維持インパルスとにより前記１つのフレーム周期において活性化可能である、ことを特徴とする装置。
【請求項１４】
請求項１１乃至１３の何れか一項に記載の装置であって、前記アドレス指定インパルスの活性化エネルギーは１つの維持インパルスの活性化エネルギーより小さい、ことを特徴とする装置。
【請求項１５】
請求項１１乃至１４の何れか一項に記載の装置であって、前記アドレス指定された発光要素の各々の光出力は、複数の活性化サイクルによる１つのフレーム周期と各々の活性化サイクルの終わりにおける消去動作において前記制御手段（１４）により制御可能である、ことを特徴とする装置。
【請求項１６】
請求項１５に記載の装置であって、各々の前記アドレス指定された発光要素の光出力は、任意の維持インパルスにより続けられる前記活性化サイクルのはじめにアドレス指定インパルスを印加することによって前記制御手段（１４）により制御可能である、ことを特徴とする装置。
【請求項１７】
請求項１１乃至１６の何れか一項に記載の装置であって、表示される画像を分析するための分析手段（１２）であって、前記分析手段（１２）は光出力が画像分析に基づいて制御可能であるように前記制御手段（１４）に接続された分析手段から更に構成される、ことを特徴とする装置。
【請求項１８】
請求項１７に記載の装置であって、前記分析手段（１２）により分析されたフレームの輝度が所定の閾値より小さいか又は統計的発光分布が主に暗い領域を示す場合に、前記制御手段（１４）はアドレス指定された前記発光要素の各々の光出力が対応するアドレス指定インパルスのエネルギーに基づいて制御可能であるように閾値手段を備える、ことを特徴とする装置。
【発明の詳細な説明】
【０００１】
【発明の属する技術分野】
本発明は、表示装置のグレースケールエンハンスメントのための方法及び装置に関する。本発明は、特に、プラズマ表示パネル（ＰＤＰ）のような表示装置及び発光のデューティサイクル変調（パルス幅変調）の原理に基づく全ての種類の表示装置において表示される画像の品質を改善するためのビデオ処理に関連する。特に、本発明は、複数の発光要素の各々に所定の書き込み電圧を有するアドレス指定インパルスを印加することにより、１つのフレーム周期において活性化される必要のある発光要素のアドレス指定を行い、そして同じ所定の維持電圧を各々が有する不連続で所定の数の維持インパルスを印加することによりアドレス指定された発光要素の各々の光出力を制御することにより、複数の発光要素を有する表示装置を駆動するための装置及び方法に関する。
【０００２】
【従来の技術】
ＰＤＰは“オン”又は“オフ”の状態のみにすることが可能である放電セルのマトリクスアレーを用いている。それ故、ＰＤＰは純粋なデジタル表示装置である特徴を有している。また、グレーレベルが発光のアナログ制御により表されるＣＲＴ又はＬＣＤと異なり、ＰＤＰは、フレーム毎の光パルス（維持パルス）の数を変調することによりグレーレベルを制御する。時間変調信号は、眼の時間応答に対応する周期に亘って眼により統合される。振幅ビデオは光パルスの数により表され、所定周波数において現れるため、振幅が大きくなるにつれて、光パルスは大きくなり、それ故、“オン”の時間が長くなる。この種の変調は又、ＰＷＭ（Ｐｕｌｓｅ　Ｗｉｄｔｈ　Ｍｏｄｕｌａｔｉｏｎ）として知られている。
【０００３】
【発明が解決しようとする課題】
画像品質のためには、グレースケール描画は最も重要である。プラズマ表示パネル（ＰＤＰ）におけるグレースケール描画は、ＣＲＴのようなアナログ表示装置におけるグレースケール描画のようにスムーズという訳ではない。その理由の１つは所謂ガンマ関数である。実際には、全てのビデオ画像は、標準的な表示装置（例えば、ＣＲＴ）においては、従来のガンマ関数を補正するために、予め補正される。プラズマ表示装置は純粋な線形表示装置であり、そのような非線形ガンマ関数の挙動を示すことはないため、擬似ガンマ関数が表示装置レベル及びデジタル形式において用いられる必要がある。
【０００４】
デジタル形式におけるガンマ関数を演算するために、通常、８ビットが用いられ、２５６個の量子化段階がもたらされる。しかしながら、例えば、６００ｃｄ／ｍ２の最大輝度がＰＤＰ画面において達成可能である場合、入力ビデオ値４は、ガンマ関数
【外１】
2004070327.tif 000003
に従って、実際には可能でない、６００ｘ（４／２５５）２＝０．１５ｃｄ／ｍ２に変換される必要がある。実際には、ＰＤＰにおいて直接表示することが可能である最も小さいビデオ値は、１つの維持操作（実際には、約０．７ｃｄ／ｍ２）により発光される光によって決定される。更に、今日、各々の維持動作によってより大きい輝度が得られるようにプラズマセルの発光効率を改善する傾向にある。
【０００５】
多数の量子化ステップに起因する品質の問題は、画像のより暗い領域において特に現れる。暗い領域においては、より明るい領域に比べて、眼はより敏感である。このことは、ＰＤＰにおいて得られた最大輝度に関して、１つの維持動作の輝度が非常に小さいとしても（フルホワイトについての１００ｃｄ／ｍ２からピークホワイトについての６００ｃｄ／ｍ２まで）、人間の眼はそのような小さいステップを視覚認識すること、を意味している。
【０００６】
それに対して、量子化ノイズは発光領域において減少するであろう。
【０００７】
この問題をよりよく理解するために、ガンマ関数
【外２】
2004070327.tif 000004
に従って次式
Ｏｕｔ（ｘ，ｙ）＝（Ｉｎ（ｘ，ｙ）／２５５））γ
を用いて、８ビットレベルにおいて適用される標準的デガンマ関数の場合を考えることにする。
【０００８】
図１は、そのような関数を示している。図１における左側の図は、上記式に従った量子化ガンマ関数を示している。８ビットを用いて量子化された入力は、８ビットを用いて量子化された出力信号に変換される。入力信号“０”の勾配は０である。入力レベル“２５５”は出力レベル“２５５”に変換される。出力信号は放物線状に増加する。図１における右側の図は、ガンマ関数が値“５０”までの低い入力レベルについて拡大したものである。この拡大した部分は実際の関数と整数値により得られたデジタル関数を示している。
【０００９】
８ビットレベルに適用されたガンマ関数は暗い領域において強い量子化効果を生じることが理解できる。例えば、１２より小さい全ての入力レベルは、ガンマ化の後、全て同様に０に設定される。次の表１は、一部のビデオレベルについての詳細な演算結果について示している。
【００１０】
【表１】
2004070327.tif 000005
この表は、暗い領域において、入力値より出力値が小さく、このことは、量子化ステップが大きくなり且つ多くの情報が失われることを意味している。それとは反対に、高い入力レベルにおいては、出力レベルより入力レベルの方が小さく（例えば、値２４６を生成する入力はない）、このことは、量子化ノイズが低減されたことを意味している。
【００１１】
実際には、この問題は、擬似レベルを表すために眼についての一時的且つ空間的積分を用いるディザリング操作に基づいて、１つの維持操作以下の小さい輝度レベルを表すことにより解決することができる。それにも拘らず、このディザリングの視認性は、画面上に表される最小ステップ（実際には１つの維持操作）に関連している。非常に明るい画像の場合には、眼は眩しく感じ且つそれらのレベルに対してそれ程敏感ではなく、他方、暗い画像の場合には、眼は低いレベルに対して非常に敏感であり、そのような大きいステップにより生じるノイズを認識することが可能である。
【００１２】
【課題を解決するための手段】
本発明の目的は、改善されたグレースケール描画により表示するための方法及び装置を提供することである。
【００１３】
本発明に従って、この目的は、複数の発光要素を有する表示装置を駆動するための方法であって、活性化サイクル又はサブフィールドと呼ばれる１つの完結したフレーム周期或いはその一部において活性化される必要がある発光要素を、発光要素の各々に所定の書き込み電圧を有するアドレス指定インパルスを印加することによりアドレス指定する段階と、前記アドレス指定インパルスのエネルギーに基づいて前記アドレス指定された発光要素の少なくとも１つの光出力を制御する段階と、から構成される方法により達成される。
【００１４】
更に、本発明に従って、複数の発光要素を有する表示装置を駆動するための装置であって、活性化サイクルと呼ばれる完結したフレーム周期又はその一部において前記発光要素の少なくとも１つを、各々の前記発光要素に所定の書き込み電圧を有するアドレス指定インパルスを印加することによりアドレス指定するためのアドレス指定手段と、所定の維持電圧を有する少なくとも１つの維持インパルスを印加することによりアドレス指定される前記発光要素の各々の光出力を制御するために前記アドレス指定手段に接続される制御手段と、から構成され、アドレス指定される少なくとも１つの前記発光要素の光出力は、前記アドレス指定手段からの前記アドレス指定インパルスのエネルギーに更に基づいて前記制御手段により制御可能である、装置を提供する。
【００１５】
好適には、アドレス指定インパルスのエネルギーのみにより１つのフレーム周期においてアドレス指定された発光要素の１つを活性化することが可能である。このことは、上述の例のはじめの１２個の入力レベルの変換、即ち、例えば入力レベル７において所謂サブ維持重み付けのために更なる段階を設けることが可能である。
【００１６】
同様に、１つのフレーム周期における１つのアドレス指定された発光要素は、アドレス指定インパルス及び少なくとも１つの維持インパルスにより活性化されることが可能である。従って、“０”及び“１”以外の他の出力レベルの間の不連続なステップはまた、減少されることが可能である。
【００１７】
１つのアドレス指定インパルスの活性化エネルギーは１つの維持インパルスの活性化エネルギーより小さい。そのような活性化エネルギーを組み合わせることにより、デジタル処理の量子化ステップを減らすことが可能である。
【００１８】
１つのフレーム周期における発光要素の活性化は複数の活性化サイクルにより通常行われ、好適には、消去動作は各々の活性化サイクルの終わりにおいて行われる。消去動作は、それぞれの発光要素が完全にリセットされるように、アドレス指定又は維持動作の間に生成された何れかの電荷が再結合されることを確実にする。各々の活性化サイクルのはじめにおいて、アドレス指定のための時間周期は確保されなければならない。この活性化時間周期において、フレーム周期又はサブ周期において活性化される必要がある表示装置の全ての発光要素は、フレームの“サブフィールド”とみなされるものであるが、書き込み／アドレス指定インパルスによりアドレス指定される。維持動作を、アドレス指定及び消去動作間で任意に行うことが可能である。プラズマ表示パネルに関して、そして、特にアドレス指定、維持および消去に関して、ここでは、特許文献として国際公開第０２／１１１１１を参照する。
【００１９】
入力画像の画像分析を提供することにより、発光要素の光出力を制御するためにアドレス指定インパルスを用いる決定を改善することができる。特に、輝度の統計的分布が主に暗い領域を示すか又は現在のフレームの輝度が所定の閾値より低い場合、発光要素の出力を制御するためにアドレス指定インパルスを用いる本発明の方式を用いることが可能である。現在のフレームのピーク又は平均輝度のためのそのような閾値は、最大可能輝度の１０％とすることが可能である。
【００２０】
そのことを考慮して、本発明は、維持を伴わない単純なアドレス指定に基づいて動作を配置することを可能にし、例えば表示装置に０．１４ｃｄ／ｍ２のサブ維持発光を可能にする技術を提供する。
【００２１】
本発明に従った主な概念は、何れの維持動作を用いることなく、サブフィールドを用いることである。サブフィールドの概念に関しては、欧州特許第１１３６９７６号明細書を参照する。その場合、書き込み動作の後に消去動作が直接続く。次いで、発光された光はアドレス指定の書き込み放電（例えば、０．１４ｃｄ／ｍ２）の標準的発光により規定される。
【００２２】
換言すれば、サブ維持重み付けのために付加的なサブフィールドは、サブ維持重み付けのために用いられる。
−　フルホワイトの画像が最大のホワイトより低く且つより多くのサブフィールドを配置する場合に、これを行うことが可能である。
−　画像分析と組み合わせて、これを行うことが可能である（２００２年６月５日に出願された仏国特許発明第０２０７６２号に開示されているように）。その場合、画像が多くの暗い情報と小さい輝度情報を含んでいることを検出することが可能である。更に、サブ維持重み付けを用いて適合されたコーディングを適用することが可能である。
−　より多くのサブフィールドが利用可能であるとき、標準的コーディングと共に、これを用いることが可能である。数年前から、アドレス指定速度は非常に増加してきた（１９９７年に３．４μｓであった速度が、２０００年には２μｓに増した）。
【００２３】
【発明の実施の形態】
ＰＤＰのアドレス指定する書き込み動作は、選択されたセルにおいて生じる放電とみなすことができ、この放電は、所定の時間、セルの内部に電荷を留まらせるものである（プラズマセルの容量効果）。次の維持動作の間に、電荷を配置したセルのみが光を放出する。維持動作そのものは交流による動作であり、それ故、維持サイクルの終了時には、セルにおける電荷は依然として同じまま維持されている。セルを再度初期化するために、維持動作に続く全体的な消去動作において、セル内部の電荷を抑制する。
【００２４】
アドレス指定（書き込み）動作は、選択されたセルのみにおいて生じる放電とみなすことができるため、そのような動作はまた、単一のプライミング動作（例えば、０．０８ｃｄ／ｍ２）に比べてはるかに強い発光（約０．１４ｃｄ／ｍ２）を生じる。次いで、書き込み動作の後、消去動作を直接適用することが可能である。その場合、維持サイクルは適用されないため、輝度が０．１５ｃｄ／ｍ２のみであるサブ維持重み付けを放電することが可能である。この例において、そのようなサブ維持重み付け（約０．１５ｃｄ／ｍ２）は、標準的な維持動作の約五分の一である。図２はそのような新しい概念を示している。
【００２５】
図２に示す完結したフレーム周期は、第１サブフィールドとして、１１個の標準的なサブフィールドと１つの単一書き込みサブフィールドに分割される。プライミング動作はフレーム周期の開始において与えられる。第１サブフィールド即ち単一書き込みサブフィールドはサブ維持重み付けのために用いられる。次の標準サブフィールドの各々は、アドレス指定するブロック（ホワイト）から成り、維持ブロック（グレー）がそれに続き、更に消去ブロック（ブラック）によって完結する。維持サイクル又はブロックは、コードディジットに従って大きくなる。
【００２６】
その場合、上記のガンマ関数についての表１を次の表２のようにアップグレードすることが可能である。
【００２７】
【表２】
2004070327.tif 000006
表２において、文字Ｗは単一の書き込み動作を表している。この表においては、より細かいステップを生成することが可能であるため、低いレベルにおいてエラーが殆んど発生しないことを理解することが可能である。更に多くの単一の書き込み動作が用いられる場合、より精密にすることが可能である。明らかに、そのような動作は維持動作のように同じアドレス指定時間を必要とし、それ故、十分な時間が利用可能であるときのみに、そのような動作を非常に経済的に用いることが可能である。
【００２８】
図３の下部の図は、１１個の標準サブフィールドと４個の単一書き込みのサブフィールドを加えたものに基づいて、コーディングの例を示している。
【００２９】
原理的には、この例のサブフィールド構造は、図２のサブフィールド構造と同様である。最初の４個のサブフィールド（活性化サイクル）は、アドレス指定ブロック（ホワイト）と消去ブロック（ブラック）を含む。維持サイクルの幅は、フレーム周期内のサイクル数により決定される。図３の上部においては、フレーム周期内に１５個の標準サブフィールドをもつサブフィールドの構成を示している。平均して、図３の上部における１５個のサブフィールドの維持サイクルは、図３の下部における本発明のフレーム構成についての１１個の標準サブフィールドの維持サイクルに比べて少し小さい。これら両方の場合に、同じ光の最大パワーを、駆動発光要素について得ることが可能である。しかしながら、特に暗い領域においては、図３の下部の実施形態を用いて、より小さい量子化ステップを実行することが可能である。
【００３０】
この新しい例に基づいて、ガンマ関数の表１を初めの３０個のレベルについて性能向上することができ、その結果は次の表３のようになる。
【００３１】
【表３】
2004070327.tif 000007
この最後となる例においては、暗い領域におけるステップは非常に小さく、もはや確認できるノイズはない。
【００３２】
例えば、１５０より小さい維持パワーをもつ全白画像が表示される場合、アドレス設定のために多くの時間が利用可能であり、タイミングの点に関して追加費用を用いることなく、単一の書き込み動作を用いることが可能である。よりよいグレースケール描画を用いて、同じ擬似輪郭挙動を得ることが可能である。
【００３３】
更に、上記表１乃至３において、単一の書き込み動作は、０と３０／４０（位領域）との間のビデオレベルを表示するために主に有用である。従って、統計学的な画像の分析を用いて、そのような概念を意味があるように改善することが可能である。実際には、画像が多くの臨界値（０→４０）を含む場合、１つ又はそれ以上の単一書き込み動作に基づくサブフィールドシステムが用いられ、一方、他の種類の画像のために、標準エンコーディングが用いられる。これは、図４に示されている。図４の上部においては、非常に暗い画像が示されている。この画像の下には、比較的明るい画像が示されている。各々の画像の右側には、対応するヒストグラムにより画像の輝度分布が示されている。暗い画像の輝度分布のピークは暗い領域にあり、一方、明るい画像の輝度分布のピークは明るい領域近くの中間領域にある。図３に関連して導入された異なるコーディングはこれらの画像のそれぞれに適用可能である。４つの単一書き込みのサブフィールドサブを含むサブ維持重み付けは、好適には、暗い画像に適用される。それとは対照的に、標準的な最適化コーディングが明るい画像に適用され、各々のサブフィールドは１つの維持サイクルを含む。このように、これらの画像においては何れも、量子化ステップは可視的ではない。この概念は、欧州特許出願第ＥＰ−Ａ−２２９０９０７号明細書に示されているメタコードの概念を更にエンハンスすることが可能である。
【００３４】
図５は、本発明の実施形態に従ったシステムの可能な回路構成を示している。このブロック図に従って、各々のカラーについての入力信号Ｒ、Ｇ、Ｂは、８ビットのコード長において、即ちビット７からビット０まで供給される。そのような入力ＲＧＢ画像（３ｘ８ビット）はビデオガンマブロック１０に送られる。ガンマ関数により得られたビデオガンマブロックの出力信号の解像度は、カラー当り１０ビットである。この事前に補正されたＲＧＢ
データは、ＰＷＥ制御ブロック１４に演算された平均パワー値ＡＰＬを与える平均パワー測定ブロック１２において分析される。画像の平均パワー値は、全てのＲＧＢデータストリームについての画素値を単純に合計し、その結果を、３を乗じた画素値の数で除することにより、演算される。
【００３５】
制御ブロック１４は、ルックアップテーブル（ＬＵＴ）１６を含み、それ故、対応するパラメータのＡＰＬ依存性を次のようなＬＵＴから選択することができる。即ち、
−　サブフィールド構造、即ち、アドレス指定ブロックが１つのフレームに対して全部でどれ位多く用いられるかということである。対応するビデオエンコーディングは、サブフィールドコーディングブロック１８に情報“コーディング”により伝送される。
−　画像フレームのために活性化される必要があるプラズマ表示パネル２０の発光要素のアドレス指定するための信号ＳＣＡＮ。
−　各々のアドレス指定された発光要素のための維持パルス又は消去インパルスの数を決定する信号ＳＵＳＴＡＩＮ／ＥＲＡＳＥ。ゼロ維持が選択された場合、アドレス指定を伴うサブ維持の重み付けのみが実行されるであろう。それ故、消去、アドレス指定、維持等のために対応する波形は規定される。
から選択される。
平均パワーレベルＡＰＬを考慮することなく、同じサブフィールド構造を用いることが可能であったとしても、対応する結果は低い品質のものになるであろう。
サブフィールドコーディングのパラメータ（ＣＯＤＩＮＧ）はサブフィールド数、サブフィールドの位置決め、サブフィールドの重み付け及び国際公開第００／４６７８２号パンフレットにおいて説明されているようなサブフィールドのタイプを規定する。
【００３６】
ビデオガンマユニット１０の出力信号はまた、サブフィールドコーディングユニット１８に対して入力され、ここで、サブフィールドコーディングプロセスがなされる。ここで、各々の規格化された画素値に対して、サブフィールドのコード化された言語が割り当てられる。１以上の一部の値に対してサブフィールドのコード化された言語を割り当てるための可能性は、二者択一的に利用可能とすることができる。簡単な実施形態においては、各々のモードのためにテーブルを備えることが可能であり、それ故、その割り当てはこのテーブルを用いてなされる。この方法においては、曖昧性を回避することが可能である。
【００３７】
ＰＷＥ制御ブロック１４は又、サブフィールドのコーディングユニット１８から２つのフレームメモリ２２へのＲＧＢ画素データの書き込みＷＲを制御する。更に、ＰＷＥ制御ブロック１４は、制御ラインＳＰを経由して２つのフレームメモリ２２及び直列−並列変換回路２４から、ＲＧＢサブフィールドデータＳＦ−Ｒ、ＳＦ−Ｇ及びＳＦ−Ｂを制御する。サブフィールドのコード化言語の読み込まれたビットは、ＰＤＰ２０の全体のラインのための直列／並列変換ユニット２４において収集される。１つのラインにおいては例えば８５４個の画素があるため、これは、２５６２個のサブフィールドのコード化ビットがサブフィールド周期当たりの各々のラインのために読み込まれることが必要であることを、意味している。これらのビットは、直列／並列変換ユニット２４のシフトレジスタに読み込まれる。結果として得られたデータはＰＤＰ２０に入力される。
【００３８】
最良の２つのフレームメモリを用いて実行されることに留意されたい。データは１つのフレームメモリ画素に書き込まれるが、他のフレームメモリのサブフィールドから読み出される。完全な第１サブフィールドを読み込むことが可能であるように、全部のフレームはすでにメモリの中に存在していなければならない。これにより、２つの全体のフレームメモリを必要とする。１つのフレームメモリは書き込みのために用いられ、もう１つのフレームメモリは読み込みのために用いられ、誤ったデータを読み込むことを回避する。
【００３９】
上記のような実施は、パワー測定とアクションとの間に１フレームの遅延をもたらす。パワーレベルが測定され、所定のフレームの終わりに、平均パワー値は制御器において利用可能となる。
【００４０】
【図面の簡単な説明】
【図１】８ビットコード化信号に適用される標準ガンマ関数を示す図である。
【図２】本発明の実施形態に従ったサブフィールドコーディングの概念を示す図である。
【図３】１１個の標準的サブフィールドと４つの単一書き込みサブフィールドとを加えたものに基づく本発明のコーディング概念を示す図である。
【図４】低いレベルの最適化コーディングと標準的な最適化コーディングの主要点について示す図である。
【図５】本発明のコーディングの概念のハードウェアの実行についてのブロック図である。
【符号の説明】
１０　　　ビデオガンマユニット
１２　　　平均パワー測定ブロック
１４　　　ＰＷＥ制御ブロック
１６　　　ルックアップテーブル（ＬＵＴ）
１８　　　サブフィードコーディングブロック
２０　　　プラズマ表示パネル（ＰＤＰ）
２２　　　２つのフレームメモリ
２４　　　直列／並列変換回路
【図１】
2004070327.tif 000008
【図２】
2004070327.tif 000009
【図３】
2004070327.tif 000010
【図４】
2004070327.tif 000011
【図５】
2004070327.tif 000012